(57)【特許請求の範囲】
【請求項１】
横に長い屋根板を前後左右に複数枚並べて敷設すると共に、妻部に沿ってケラバ部材を装着した屋根において、該ケラバ部材の内側部に下方に開口する幅広い調整空間を形成し、最も妻側に配置される屋根板の外側端縁に沿って防水起立壁を有する側部部材を装着すると共に、防水起立壁の下端から内側に屈曲されて勾配方向に延びる排水溝を形成してこの排水溝を前記屋根板の裏面に重合し、前記側部部材が装着された屋根板の側端部を前記ケラバ部材の調整空間に幅方向に移動可能に収納したことを特徴とする屋根。
【請求項２】
屋根板の前端部裏面及び後端部裏面に、互いに対向する面が開放されるように支持片をそれぞれ設け、前後の支持片の間に前記側部部材の排水溝を挿入したことを特徴とする請求項１に記載された屋根。
【請求項３】
前端部の支持片の外側端部を切り欠いて排水口を形成したことを特徴とする請求項２に記載された屋根。
【請求項４】
前記側部部材のやや内側において前記屋根板の表面に防水カバー部材を装着し、該防水カバー部材の外側端縁に沿って水切り壁を立設すると共に、裏面に断面波形の防水板を重合したことを特徴とする請求項１に記載された屋根。
【請求項５】
前記水切り壁の前端部を前方に隣接する防水カバー部材の水切り壁の後端部に重合したことを特徴とするせ請求項４に記載された屋根。
【発明の詳細な説明】
【０００１】
【発明の属する技術分野】
本発明は横葺きの屋根に関する。
【０００２】
【従来の技術】
本出願人は、先に、妻部に沿ってケラバ部材を配設し、最も妻側に敷設された屋根板の外側縁に防水壁を形成し、この防水壁をケラバ部材の内側に形成された収納部に挿入した屋根を、特開昭６４−６６３５０号として提案した。
上記従来の屋根によれば、防水壁によって屋根板の表面を流れる雨水が屋根下地に侵入するのを防ぐと共に、防水壁が収納部の幅の範囲内で移動することにより、屋根板の温度変化による収縮を吸収することができる。
【０００３】
ところで、屋根板を加工する場合は、帯状の金属板に長手方向に沿って曲げ加工等を施すので、上記従来のもののように勾配方向に長尺の屋根板に勾配方向に沿う防水壁を形成するのは容易である。
しかし、横に長い屋根板にこれと交差する勾配方向に沿う起立壁を、製造段階で形成するのは困難なため、最も妻側に敷設される屋根板に後から折り曲げや溶接によって防水用の起立壁を形成しなければならず、この結果、コストが高くなったり、現場加工が増えて作業効率が落ちるなどの不都合がある。また、起立壁をビス止め等の簡易な固定方法で屋根板の外側縁に装着することも考えられるが、このような方法では、屋根板と起立壁との隙間から雨水が侵入する心配がある。
【０００４】
【発明が解決しようとする課題】
本発明は、熱膨張による屋根板の歪みを妻部分において吸収することができ、防水性能が良好で施工が容易であり、製造コスト及び施工コストが低廉な段葺きの屋根を提供することを目的とする。
【０００５】
【課題を解決するための手段】
本発明の屋根は、上記課題を達成するために、横に長い屋根板を前後左右に複数枚並べて敷設すると共に、妻部に沿ってケラバ部材を装着した屋根において、該ケラバ部材の内側部に下方に開口する幅広い調整空間を形成し、最も妻側に配置される屋根板の外側端縁に沿って防水起立壁を有する側部部材を装着すると共に、防水起立壁の下端から内側に屈曲されて勾配方向に延びる排水溝を形成してこの排水溝を前記屋根板の裏面に重合し、前記側部部材が装着された屋根板の側端部を前記ケラバ部材の調整空間に幅方向に移動可能に収納する。
【０００６】
屋根板が膨脹した時は、その外側端部がケラバ部材の収納空間内部において外側に移動し、収縮した時は内側に移動して、歪みを吸収する。
また、屋根板の表面を勾配に沿って流れ落ちる雨水が外側に流れて屋根下地に侵入しようとするのを、側部部材の防水起立壁が遮断し、万が一側部部材と屋根板との隙間から雨水が落下しても、排水溝に受け止められて軒方向に排水される。
【０００７】
屋根板の前端部裏面及び後端部裏面に、互いに対向する面が開放されるように支持片をそれぞれ設け、前後の支持片の間に側部部材の排水溝を挿入することは、側部部材の装着が容易になると共に、排水溝に流入した案水が前方に隣接する屋根板表面に排出されるので、望ましい。
【０００８】
側部部材のやや内側において屋根板の表面に防水カバー部材を装着し、該防水カバー部材の外側端縁に沿って水切り壁を立設すると共に、裏面に断面波形の防水板を重合したことは、屋根板表面を流れる雨水の側方への移動を水切り壁によって遮り、屋根表面と防水カバー部材との隙間から表面張力に基づく毛細管現象により浸水するのを防水板が防止するので、望ましい。
【０００９】
水切り壁の前端部を前方に隣接する防水カバー部材の水切り壁の後端部に重合することは、前後に隣接する水切り壁の隙間から雨水が侵入するのを防ぐため、望ましい。
【００１０】
【発明の実施の形態】
図２は、段葺き屋根の全体を示す。
切妻屋根の屋根下地上に、横に長い屋根板１が前後左右に多数枚並設されて固定され、前後方向（勾配方向）に隣接する屋根板１の前後端部が互いに係合されると共に、左右に隣接する屋根板１の側端部上面間にキャップ２が架設されて各屋根板１どうしが連結されている。
【００１１】
また、屋根の最も側端部に位置する屋根板１の外側端は妻面に沿って配設されたケラバ部材３の内側部に係合され、屋根棟に沿って棟部材４が配設される。  なお、図を簡略化するために、屋根板は横２列に敷設されているが、屋根幅及び屋根板１の長さによって３列以上並設する場合もある。
【００１２】
屋根板１はアルミニウム合金等の金属又は合成樹脂を素材とし、図３及び図４に示すように、その前端部が表面凸に下方に湾曲され、その裏面下端寄りに水切突条５が形成され、前端部寄りの下面に下方に垂下されると共にその先端から後方に屈曲される断面Ｌ字状の前部支持片６が形成される。
また、前部支持片６のやや後方に、下方に垂下されると共にその先端から前方に屈曲される断面逆Ｌ字状の係合部７が形成される。
【００１３】
屋根板１の後端は下方に屈曲され、その下端に前後方向に延びる固定片８が設けられ、この固定片８の前端部が後部支持片８´とされている。そして、前部支持片６と後部支持片８´とは互いに対向すると共に、対向する面が開放されている。また、固定片８の後部に長手方向に適宜間隔をおいて複数の固定孔９が穿設される。これらの固定孔９の内、中央のものは円孔であり、その両側のものは横に長い長孔である。また、固定片８の側端縁には横に長い固定切欠９´が形成される。
【００１４】
さらに、屋根板１の後端寄りに表面前方に折り返される断面略円弧状の凹条連結部１０が形成され、凹条連結部１０の上面に前後方向に張り出す係止片１１が長手方向に沿って設けられる。この係止片１１の表面には、長手方向に沿う複数の防水突条１２が形成されている。
【００１５】
なお、図３に示すように、屋根板１の内、最も軒寄りに配置される軒部屋根板１ａは、裏面下端寄りの水切突条５に代えて、より長く棟方向に張り出す軒先部材係止フィン１３を有し、この軒先部材係止フィン１３を軒先部材１４に係止して浮き上がりを防ぐようになっている。軒部屋根板１ａの他の部分の構造は中央部に敷設される屋根板１とほぼ同様なので説明を省略する。
【００１６】
前後に隣接する屋根板１は次のように連結される。
まず、軒寄りの屋根板１が下地上に配置され、固定孔９を通してネジ等の固定金具１８を屋根下地に挿入することにより固定される。また、屋根板１の側端部は固定切欠９´に挿通されるボルトによって固定される。従って、屋根板１は、温度が変化したときに、中央の円形の固定孔９を中心に歪みを生ずること無く左右に伸縮することができるようになっている。
【００１７】
次いで、図３に示すように、棟寄りの屋根板１の係合部７を軒寄りの屋根板１の係止片１１の後端裏面に係止し、軒寄りの屋根板１と同様にして棟寄りの屋根板１を固定する。この結果、軒寄りの屋根板１の係止片１１の上に後方の屋根板１の前部支持片６が載置され、係止片１１と前部支持片６との接触面に、表面張力に基づく毛細管現象による雨水の侵入を遮断する間隙が防水突条１２によって形成される。
【００１８】
これを順次繰り返して軒から棟に向かって屋根板１を葺き上げる。
また、左右に隣接する屋根板１の接続部の上面にキャップ２が架設される。  図１に示すように、屋根下地の最も外側に配置される屋根板１の外側縁に側部部材３４が装着され、側部部材３４のやや内側において屋根板１の表面に防水カバー部材５０が装着される。
【００１９】
側部部材３４は、図５及び図６に示すように、屋根板１の表面より高く起立する防水起立壁３５を有し、防水起立壁３５の下端から内方に排水溝３６が一体に設けられると共に、排水溝３６上面中間部に傾斜突条２６が長手方向に沿って立設される。
また、防水起立壁３５の排水溝３６より上方内面に、屋根板１の表面に載置される帯片３７が内側に張り出され、帯片３７より上方における防水起立壁３５の内面に長手方向に沿う凹凸波状体１５が形成されている。
【００２０】
さらに、防水起立壁３５の棟寄り端部において屋根板１の凹条連結部１０と合致する位置に貫通孔３８が穿設される。なお、帯片３７は、凹条連結部１０より前方の屋根板１の表面に載置されるので、その後端が貫通孔３８の位置に達しないようにやや短く形成されている。
【００２１】
この側部部材３４は、図１及び図１１乃至図１３に示すように、屋根板１の側方から排水溝３６を前部支持片６と後部固定片８´との間に挿入すると共に、帯片３７を屋根板１の表面に載置して装着される。また、貫通孔３８及び屋根板１の凹条連結部１０に防水起立壁３５の外側からネジ等の固定具４９を挿入して、側部部材３４と屋根板１とを嵌合密着して固定する。
【００２２】
防水カバー部材５０は、図１、図７及び図８に示すように、屋根板１の前端から凹条連結部１０に達する長さの幅狭の帯板１９を有し、該帯板１９の後端を表面側前方に折り返して屋根板１の凹条連結部１０の内周に嵌合される断面略円弧状の回動湾曲部２０を形成する。
【００２３】
また、帯板１９の前端部に屋根板１の前端部表面に沿う湾曲部７７が形成され、その裏面下端に、屋根板１の前端部下縁にスナップ係合される係止突条２１が形成される。
なお、帯板１９と湾曲部７７との境界部裏面に屈曲溝７８が形成され、これにより、湾曲部７７が変形しやすくなり、係止突条２１を簡単に屋根板１にスナップ係合できるようになっている。
【００２４】
さらに、防水カバー部材５０の両側縁は裏面側に屈曲され、その間において防水カバー部材５０の裏面に、帯板１９とほぼ同じ平面形状を有すると共に、断面波形の金属、合成樹脂等を素材とする防水板２２が重合される。
【００２５】
また、図９及び図１０に示すように、帯板１９の外側縁に水切り壁５１が立設されている。
水切り壁５１は、後端部が前端部より高くなるように傾斜して形成され、その前端部は内側へ屈曲されて段部５２が形成され、図１４及び図１５に示すように、この段部５２が前方に隣接する防水カバー部材５０の水切り壁５１の後端部と係合して、隣接する防水カバー部材５０の水切り壁５１の両端部が重合し、防水カバー部材５０が一線上に並ぶようになっている。また、水切り壁５１の内面には、複数の水返し突条１６が長手方向に沿って形成されている。
【００２６】
防水カバー部材５０は次のように屋根板１に装着される。
図１１に示すように、防水カバー部材５０を屋根板１の外側方からスライドさせて屋根板１の表面に重合し、防水カバー部材５０の後端の回動湾曲部２０を屋根板１の凹条連結部１０内に嵌合する。次いで、先に説明したように側部部材３４を屋根板１の側端縁に装着する。
【００２７】
次に、図１２に示すように、防水カバー部材５０を外側に移動して側部部材３４に接近させた後、防水カバー部材５０の前端部を裏面側に押圧する。すると、回動湾曲部２０及び凹条連結部１０が円弧状に形成されているので、防水カバー部材５０はスムーズに回動してその前端部が屋根板１の前端部表面に沿って降下し、図１３に示すように、防水カバー部材５０の係止突条２１が屋根板１の前端部下縁にスナップ係合される。
なお、防水カバー部材５０と屋根板１との間に防水板２２が介在されて屋根板１の表面に密着しているので、図１に示すように、防水板２２の溝により屋根板１表面との間に多数の空隙１７から成るラビリンスが形成され、これにより、表面張力に基づく毛細管現象が遮断されて防水カバー部材５０と屋根板１との間から雨水が染み込む心配がない。
【００２８】
なお、最も外側に配置される屋根板１の外側部においては、側部部材３４の排水溝３６が前部支持片６と後部支持片８´との間に挿入されるので、係合部７の側端部がこの挿入幅に相当する幅だけ切り欠かれる。
また、図１１乃至図１３に示すように、屋根板１の外側前端に、前方に隣接する防水カバー部材５０の水切り壁５１が嵌合する切欠部分４６が形成されると共に、前部支持片６の起立部分の側端部が切り欠かれて排水口５３が形成され、排水溝３６を流下する雨水がこの排水口５３を通して前方に隣接する屋根板１の上に排出されるようになっている。
【００２９】
このため、最も妻側に配置される屋根板１の側端部は、図１６に示すような側部切欠用のガイドゲージ７３を用いて、迅速に且つ正確に切り欠くことができるようになっている。ガイドゲージ７３は、屋根板１の勾配方向の長さに相当する長さと均一の幅を有する平板より成り、その後端が下方に屈曲されて位置決め垂下片４８が形成されている。
【００３０】
また、ガイドゲージ７３の一側縁の前端部に屋根板１の前端部の切欠部分４６に相当する幅の第１切除部５４が形成され、第１切除部５４の後方に係合部７の切欠幅に相当する幅の第２切除部５５が形成される。
さらに、第１切除部５４と第２切除部５５との間に突出部５６が形成され、突出部５６の先端から一側縁までの距離は排水口５３の幅に相当する長さとされている。
【００３１】
ガイドゲージ７３は次のように使用される。
まず、屋根板１の側端部裏面にガイドゲージ７３の一側部を、その側縁と屋根板１の側縁とを揃えて重ね、位置決め垂下片４８を屋根板１の固定片８の後端に引っ掛けて位置決めする。そして、屋根板１の前部支持片６より前の部分においてガイドゲージ７３の第１切除部５４の内側に露出する部分を切り欠いて、切欠部分４６を形成する。
また、係合部７の第２切除部５５の内側に露出する部分を切除すると共に、前部支持片６の垂直部分を、一側縁から突起５６の先端に達する長さだけ切り欠いて排水口５３を形成する。
【００３２】
なお、軒部屋根板１ａの前方には他の屋根板１及び防水カバー部材５０が配設されないので、軒部屋根板１ａの外側前端に切欠部分４６は形成されず、従って、軒部屋根板１ａに装着される防水カバー部材５０にも段部５２を形成する必要はない。当然、軒部屋根板１ａの側端部を切り欠くのに使用されるガイドゲージに第１切除部５４を形成しなくて良い。
また、図１７に示すように、前部支持片６及び係合片７の基部に長手方向に沿って切欠溝８３が形成され、ガイドゲージ７３を用いる際に切り欠き易いようになっている。
【００３３】
屋根の妻面に沿って配設されるケラバ部材３は、図１に示すように、屋根下地の上面側部に固定される接続部材２９と、接続部材２９の上面を被覆するカバー３０と、接続部材２９の外側面から破風板７４の外側面に亘って装着される化粧部材３１とから成る。
図１８に示すように、接続部材２９は断面四角形の本体２７を有し、その内側下端から下方に延びさらに内方に張り出す張り出し片３２が設けられると共に、その上面に複数の止水突条６４が長手方向に沿って形成され、本体２７の下面外側寄りに支脚２３が設けられる。
【００３４】
また、本体２７の上面両側に取り付け壁２８がそれぞれ形成されると共に、その内面に突条６５が形成され、本体２７の上面の軒側端部に後述する軒部キャップ６３（図２０及び図２１参照）を取付けるためのボルト６６が立設されている。
【００３５】
さらに、本体２７を上下に貫通する複数の孔２４が長手方向に適宜間隔をおいて穿設される。これらの孔２４の内、中央のものは円形であり、その両側のものは長孔である。これにより、接続部材２９は温度変化等が生じた時に中央の孔２４を中心に勾配方向に伸縮することができるようになっている。
そして、接続部材２９は、屋根下地に適宜間隔をおいて立設されたボルト２５を孔２４に挿通してナットを螺合することにより、屋根下地の上面に勾配方向に沿って固定される。
【００３６】
カバー３０は接続部材２９と略同長であって、図１及び図２１に示すように、その下面に左右一対の取り付け脚４０が設けられると共に、取り付け脚４０の外面に係合突条４０´が長手方向に沿って形成されている。そして、この係合突条４０´を接続部材２９の突条６５に係合することによって、カバー３０が接続部材２９の上面に装着される。
また、カバー３０は、内側の取り付け脚４０から内側縁までの長さが外側の取り付け脚４０から外側縁までの長さより長く形成され、その下面内側に水切り垂下片４１が形成される。
【００３７】
さらに、カバー３０の棟寄り端部にボルト挿通切欠４２が形成され、接続部材２９の棟側端部上面に突出するボルト６７を棟部材４の下方においてこのボルト挿通切欠４２に挿通し、カバー３０を固定する。
なお、カバー３０の上面に摺動被覆部材６８が長手方向に摺動可能に装着され、軒部キャップ６３を取付けた後、この摺動被覆部材６８を軒側に移動して軒部キャップ６３の取り付け部を被覆するようになっている。
【００３８】
化粧部材３１は、図１８に示すように、破風板７４の上面から外側面を被覆する取り付け部４３を有し、その上面に起立壁４４が立設される。また、取り付け部４３には複数の取り付け孔３９が勾配方向に適宜間隔をおいて穿設される。これら取り付け孔３９の内、中央のものは円形であり、その両側のものは長孔である。これにより、化粧部材３１は温度変化等が生じた時に中央の取り付け孔３９を中心に勾配方向に伸縮することができるようになっている。
【００３９】
さらに、図１に示すように、取り付け部４３の下端及び起立壁４４の中間部から外方にそれぞれ係合突片４５が張り出され、係合突片４５の対向面にＬ状係止部４７が長手方向に沿って形成されている。
化粧部材３１を固定する取り付け金具７５は、破風板７４の外側面に適宜間隔毎に装着される。図１８に示すように、取り付け金具７５は逆Ｌ字形の係止板７６を有し、この係止板７６を破風板７４の上端に引っ掛けて、高さ方向が位置決めできるようになっている。係止板７６の外面にはボルト５７が立設され、このボルト５７を取り付け孔３９に挿通してその先端にナットを螺合し、化粧部材３１を固定する。
【００４０】
また、化粧部材３１を固定した後、上下のＬ状係止部４７間に被覆板５８を装着してボルト５７を隠蔽する。さらに、被覆板５８の外面において軒端部に軒部抑え板５９を、棟端部に棟部抑え板６０をそれぞれ係合突片４５の先端に係止して装着し、被覆板５８を外側から抑える。また、化粧部材３１の軒先端部には隅部化粧板６１が装着される。
【００４１】
図２０に示すように、接続部材２９を屋根下地の側端部上面に配置し、その外側に化粧部材３１を装着し、図２１に示すように、その内側に屋根板１を敷設した後、接続部材２９の上面にカバー３０を取付ける。このように装着されたケラバ部材３は、その構成要素である接続部材２９、カバー３０及び化粧部材３１がそれぞれボルト固定されているので、風圧及び振動に対して極めて強く、強風時や地震の際に外れる心配がない。なお、ケラバ部材３の軒端面は軒部キャップ６３で閉塞される。
【００４２】
また、図１に示すように、ケラバ部材３において、接続部材２９の本体２７とカバー３０の水切り垂下片４１との間に下方が開放される広幅の調整空間３３が形成される。さらに、カバー３０の下面において接続部材２９の本体２７の外側にこれより狭い外側部調整空間６２が形成される。
【００４３】
そして、外側部調整空間６２に化粧部材３１の起立壁４４が収納され、屋根下地幅と屋根板１による仕上げ幅との間に誤差が生じて、接続部材２９の装着位置が変化した場合に、図２２の（イ）乃至（ハ）に示すように、化粧部材３１がカバー３０の下方において相対的に左右に移動して前記誤差を吸収する。このため、厳密な寸法精度を必要とせず、施工がきわめて容易となる。
図２２の（イ）は屋根下地の巾が屋根仕上げの基準総幅より狭い場合を示し、化粧部材３１の起立壁４４が接続部材２９の本体２７に接近する。また、図２２の（ロ）は屋根下地の巾と屋根仕上げの基準総幅とが同じで誤差がない場合を示し、化粧部材３１の起立壁４４が外側部調整空間６２のほぼ中央に位置する。さらに、図２２の（ハ）は屋根下地の巾が屋根仕上げの基準総幅より広い場合をそれぞれ示し、化粧部材３１の起立壁４４がカバー３０の外側縁に接近する。
【００４４】
また、図１に示すように、防水カバー部材５０及び側部部材３４が装着された屋根板１の外側端部は、ケラバ部材３の接続部材２９とカバー３０との間に形成された調整空間３３に挿入され、接続部材２９の張り出し片３２上に載置される。
そして、屋根板１が温度変化によって長手方向に伸縮すると、図２３の（イ）乃至（ハ）に示すように、屋根板１の外側端部が調整空間３３内において左右に移動して上記伸縮を吸収するので、歪みや軋み音が発生する心配がない。なお、屋根板１の内側への移動は、防水カバー部材５０が水切り垂下片４１に当接する位置を最大限度とする。
【００４５】
図２３の（イ）は高温時のケラバ部材３と屋根板１との位置関係を示し、屋根板１の側端部が接続部材２９の本体２７に接近する。また、図２３の（ロ）は常態に置けるケラバ部材３と屋根板１との位置関係を示し、屋根板１の側端部が調整空間３３のほぼ中央に位置する。さらに、図２３の（ハ）は低温時のケラバ部材３と屋根板１との位置関係をそれぞれ示し、屋根板１の側端部がカバー３０の水切り垂下片４１に接近する。
【００４６】
この屋根においては、最も外側に配置される屋根板１の表面を流れる雨水は、防水カバー部材５０の水切り壁５１で塞き止められると共に、その下面に設けられる防水板２２の溝で遮断され、側方から屋根下地に回り込むことがない。
また、万が一、防水カバー部材５０を越えたとしても側部部材３４の防水起立壁３５で遮断され、側部部材３４の下面と屋根板１の表面との間に侵入した雨水は排水溝３６に流れ込み、さらに、排水口５３を通して軒方向に排出される。図１４及び図１５に示すように、各排水溝３６及び排水口５３は上下に重複されながら勾配方向に沿って一線上に並設されているので、排水溝３６を流下する雨水は最終的に軒樋（図示せず）に達する。このように、屋根の妻部分においては複合的な防水機構が有効に組み合わされて、高度な雨仕舞が達成される。
【００４７】
さらに、防水カバー部材５０及び側部部材３４はカバー３０で覆われて外観に現れることがないので、体裁が良い。
【００４８】
【発明の効果】
請求項１の構成によれば、温度変化等の原因で屋根板が長手方向に伸縮しても、その外側端部がケラバ部材の収納空間内部において移動して、歪みを吸収することができるので、歪みが大きくなって屋根板あるいはケラバ部材が破損したり、軋み音が発生する心配がない。
また、屋根板の表面を勾配に沿って流れ落ちる雨水が外側に流れて屋根下地に侵入しようとするのを、側部部材の防水起立壁が遮断し、万が一側部部材と屋根板との隙間から雨水が落下しても、排水溝に受け止められて軒方向に排水されるので、屋根下地に浸水する虞がない。
【００４９】
請求項２の構成によれば、側部部材の位置決め及び装着が容易であると共に、地震や強風の際にも側部部材が外れることがない。
【００５０】
請求項３の構成によれば、排水溝に流入した雨水が排水口を通して前方に隣接する屋根板表面にスムーズに排出されるので、排水溝から屋根下地上に溢れることがない。
【００５１】
請求項４の構成によれば、屋根板表面を流れる雨水が外側方へ移動するのを水切り壁によって遮ることができ、しかも、屋根板の表面と防水板との間に、防水板の波によって表面張力に基づく毛細管現象を断ち切る多数の空隙が形成されるため、屋根表面と防水カバー部材との隙間から雨水が染み込むのを防ぐことが可能であり、この結果、防水性能が一層向上する。
【００５２】
請求項５の構成によれば、前後に隣接する水切り壁の隙間から雨水が侵入するのを防ぐことができる。
【図面の簡単な説明】
【図１】本発明の実施形態を示す屋根の妻部分の断面図
【図２】同上の全体斜視図
【図３】本発明を適用した屋根の軒部断面図
【図４】屋根板の斜視図
【図５】側部部材の外側方から見た斜視図
【図６】側部部材の内側方から見た斜視図
【図７】防水板装着前の防水カバー部材の裏面斜視図
【図８】防水板装着後の防水カバー部材の裏面斜視図
【図９】防水カバー部材の外側方から見た斜視図
【図１０】防水カバー部材の内側方から見た斜視図
【図１１】側部部材及び防水カバー部材の第１の取り付け過程を示す斜視図
【図１２】側部部材及び防水カバー部材の第２の取り付け過程を示す斜視図
【図１３】側部部材及び防水カバー部材の第３の取り付け過程を示す斜視図
【図１４】側部部材及び防水カバー部材が装着された屋根の側部斜視図
【図１５】側部部材及び防水カバー部材が装着された屋根の側面図
【図１６】ガイドゲージの使用方法を示す斜視図
【図１７】屋根板の要部拡大断面図
【図１８】妻部分の分解斜視図
【図１９】化粧部材装着後の妻部分の斜視図
【図２０】接続部材装着後の妻部分の斜視図
【図２１】カバー装着前の妻部分の斜視図
【図２２】屋根下地幅と屋根仕上げ幅との誤差の吸収を説明する妻部分の断面図
【図２３】熱膨張による屋根板の伸縮吸収を説明する妻部分の断面図
【符号の説明】
１  屋根板
１ａ  軒部屋根板
２  キャップ
３  ケラバ部材
４  棟部材
５  水切突条
６  前部支持片
７  係合部
８  固定片
８´  後部支持片
９  固定孔
９´  固定切欠
１０  凹条連結部
１１  係止片
１２  防水突条
１３  軒先部材係止フィン
１４  軒先部材
１５  凹凸波状
１６  水返し突条
１７  空隙
１８  固定金具
１９  帯板
２０  回動湾曲部
２１  係止突条
２２  防水板
２３  支脚
２４  孔
２５  ボルト
２６  傾斜突条
２７  本体
２８  取り付け壁
２９  接続部材
３０  カバー
３１  化粧部材
３２  張り出し片
３３  調整空間
３４  側部部材
３５  防水起立壁
３６  排水溝
３７  帯片
３８  貫通孔
３９  取り付け孔
４０  取り付け脚
４０´  係合突条
４１  水切り垂下片
４２  ボルト挿通切欠
４３  取り付け部
４４  起立壁
４５  係合突片
４６  切欠部分
４７  Ｌ状係止部
４８  位置決め垂下片
４９  固定具
５０  防水カバー部材
５１  水切り壁
５２  段部
５３  排水口
５４  第１切除部
５５  第２切除部
５６  突出部
５７  ボルト
５８  被覆板
５９  軒部抑え板
６０  棟部抑え板
６１  隅部化粧板
６２  外側部調整空間
６３  軒部キャップ
６４  止水突条
６５  突条
６６  ボルト
６７  ボルト
６８  摺動被覆部材
７３  ガイドゲージ
７４  破風板
７５  取り付け金具
７６  係止板
８３  切欠溝
【図１】
0003589367.tif 000002
【図２】
0003589367.tif 000003
【図３】
0003589367.tif 000004
【図４】
0003589367.tif 000005
【図５】
0003589367.tif 000006
【図６】
0003589367.tif 000007
【図７】
0003589367.tif 000008
【図８】
0003589367.tif 000009
【図９】
0003589367.tif 000010
【図１０】
0003589367.tif 000011
【図１１】
0003589367.tif 000012
【図１２】
0003589367.tif 000013
【図１３】
0003589367.tif 000014
【図１４】
0003589367.tif 000015
【図１５】
0003589367.tif 000016
【図１６】
0003589367.tif 000017
【図１７】
0003589367.tif 000018
【図１８】
0003589367.tif 000019
【図１９】
0003589367.tif 000020
【図２０】
0003589367.tif 000021
【図２１】
0003589367.tif 000022
【図２２】
0003589367.tif 000023
【図２３】
0003589367.tif 000024